(57)【要約】【課題】  電源スイッチを持たず、音声ガイド機能が付設されたガスコンロであっても、安全性を確保しつつ音声設定を行えるようにする。【解決手段】  本ガスコンロ１は、以下の制御構成を備える。音声設定モード移行操作は、音声スイッチ１３のオン操作とグリルボタン４１の点火操作とをともに行う（Ｓ１、Ｓ２）。このとき、グリル用ガスバーナ４が一旦点火するが、音声設定モードでは、グリルボタン４１を押圧解除すると、第３電磁安全弁４４は開弁保持されずに直ちに閉じられ、グリルボタン４１が燃焼操作状態に保持したままでグリル用ガスバーナ４は燃焼禁止される（Ｓ４）。これにより、電装部６０への通電が行われた状態に維持され、音声設定操作が行われる（Ｓ５）。そして、音声設定モード移行（Ｓ３）から所定時間経過後にグリルボタン４１を消火操作状態に戻すように促す報知を行う（Ｓ６、Ｓ７）。【選択図】  図４
2007017092.tif 000002
【特許請求の範囲】
【請求項１】
音声ガイド機能を有する電装部を備え、この電装部への通電を行う電源スイッチを持たず、ガスバーナに対する点火、燃焼及び消火操作を行うバーナ操作部が点火操作及び燃焼操作状態のときに上記電装部への通電がなされ且つ上記バーナ操作部が消火操作状態のときに上記電装部への通電が遮断されるガスコンロにおいて、
所定の音声設定モード移行操作に伴って上記バーナ操作部の点火操作により上記電装部を通電させた場合には、音声設定モードとなってガスバーナを燃焼禁止するように構成したことを特徴とするガスコンロ。
【請求項２】
請求項１に記載のガスコンロにおいて、
上記音声ガイド機能の音声設定のための音声スイッチを設け、
上記音声設定モード移行操作は、上記音声スイッチのオン操作と上記バーナ操作部の点火操作とをともに操作することでなされるように構成したガスコンロ。
【請求項３】
請求項１に記載のガスコンロにおいて、
調理選択のための特殊操作スイッチを有し、
上記音声設定モード移行操作は、上記特殊操作スイッチのオン操作と上記バーナ操作部の点火操作とをともに操作することでなされるように構成したガスコンロ。
【請求項４】
請求項２又は３に記載のガスコンロにおいて、
上記音声設定モード移行操作によって操作される上記バーナ操作部は、グリル用ガスバーナに対する点火、燃焼及び消火操作を行うグリルボタンとしたガスコンロ。
【請求項５】
請求項１ないし４のいずれかに記載のガスコンロにおいて、
上記音声設定モード移行操作から所定時間経過すると、上記バーナ操作部を燃焼操作状態から消火操作状態に戻すように促す報知を行う構成としたガスコンロ。
【発明の詳細な説明】
【技術分野】
【０００１】
本発明は、ガスコンロ、特に、使用中の状態や安全機能の作動状態等を音声で報知する音声ガイド機能を有するガスコンロに関するものである。
【背景技術】
【０００２】
従来のガスコンロとして、ガスバーナに対する点火等を制御するとともに音声ガイド機能を有する電装部への通電を行うための電源スイッチを設けたものがある。この種のガスコンロでは、電源スイッチをオンすることで、ガスバーナに点火する前の消火状態でも電装部への通電がなされるため、ガスバーナの消火状態において音声ガイド機能の音声設定（例えば、音声ガイドの有無や音量変更などの設定）を行うことができる。
【特許文献１】特願２００４−２６５５０７号
【発明の開示】
【発明が解決しようとする課題】
【０００３】
しかしながら、上記電源スイッチを持たず、ガスバーナの点火、燃焼及び消火等を行うバーナ操作部が点火操作されることによって電装部への通電がなされるガスコンロにおいては、上記音声ガイド機能を設ける場合は、バーナ操作部を点火操作状態又は燃焼操作状態にして電装部へ通電されているときに音声ガイド機能の音声設定を行う必要がある。そうすると、音声設定の際は、ガスバーナに火が付いた燃焼状態となって空焚きとなり得る。この空焚きとなることで、使用者が危険を感じてバーナ操作部を消火操作状態に戻すと、電装部への通電が遮断されてしまい、音声設定ができないといった不具合が起こる。
【０００４】
本発明は、上記事情に鑑みてなされたものであり、音声ガイド機能を有する電装部への通電を行う電源スイッチを持たず、この電装部への通電がバーナ操作部での点火操作及び燃焼操作状態のときに行われるガスコンロであっても、安全性を確保しつつ音声設定を行うことができるようにすることを課題とする。
【課題を解決するための手段】
【０００５】
（１）本発明に係るガスコンロ（請求項１）は、
音声ガイド機能を有する電装部を備え、この電装部への通電を行う電源スイッチを持たず、ガスバーナに対する点火、燃焼及び消火操作を行うバーナ操作部が点火操作及び燃焼操作状態のときに上記電装部への通電がなされ且つ上記バーナ操作部が消火操作状態のときに上記電装部への通電が遮断されるガスコンロにおいて、
所定の音声設定モード移行操作に伴って上記バーナ操作部の点火操作により上記電装部を通電させた場合には、音声設定モードとなってガスバーナを燃焼禁止するように構成したことを特徴とするものである。
これにより、音声設定の際は、バーナ操作部が点火操作されて燃焼操作状態に保持されるので、電装部への通電がなされて音声ガイド機能の音声設定を行うことができる。そして、この音声設定モード移行操作がなされた場合には、音声設定モードとなってガスバーナを燃焼禁止するように構成しているので、ガスバーナの空焚きを防止することができる。従って、使用者が空焚きによる危険を感じてバーナ操作部を消火操作状態に戻してしまうこともなく、安全性を確保しつつ音声設定を確実に行うことができる。
ここで、「音声設定モードとなってガスバーナを燃焼禁止する」とは、ガスバーナのガス回路の開閉弁（例えば、電磁安全弁）を開弁保持させないことで行われる。従って、上記音声設定モードの間にガスバーナからガス漏れすることもない。
なお、バーナ操作部の点火操作の間はガス回路が開成されるが、ガスバーナが点火されるので、生ガスが漏れ出すこともない。
【０００６】
（２）上記ガスコンロ（請求項１）において、上記音声ガイド機能の音声設定のための音声スイッチを設け、上記音声設定モード移行操作は、上記音声スイッチのオン操作と上記バーナ操作部の点火操作とをともに操作することでなされるように構成してもよい（請求項２）。
これにより、音声スイッチが設けられているので、音声設定の際にはこの音声スイッチの操作が必要であることを使用者に対して明確にすることができる。また、使用者は、音声スイッチのオン操作とバーナ操作部の点火操作とをともに操作するという比較的簡単な操作で上記音声設定モード移行操作を行うことができる。
なお、「音声スイッチのオン操作とバーナ操作部の点火操作とをともに操作する」とは、双方の操作を同時に行う場合だけでなく、上記音声スイッチのオン操作を先に行ってこのオン操作を継続しながら上記バーナ操作部の点火操作を行う場合や、上記バーナ操作部の点火操作後の極僅かな時間内に上記音声スイッチのオン操作を行う場合も含む。
【０００７】
（３）上記ガスコンロ（請求項１）において、調理選択のための特殊操作スイッチを有し、上記音声設定モード移行操作は、上記特殊操作スイッチのオン操作と上記バーナ操作部の点火操作とをともに操作することでなされるように構成してもよい。
これにより、別途に音声スイッチを設けることなく、調理選択のための特殊操作スイッチのオン操作と上記バーナ操作部の点火操作とをともに操作するという比較的簡単な操作で上記音声設定モード移行操作を行うことができる。
なお、「特殊操作スイッチ」としては、例えば、揚げ物、炊飯、湯沸し等といった調理目的に応じてガスバーナの燃焼を自動制御するスイッチが挙げられる。この場合、特殊操作スイッチとバーナ操作部とをともに操作する内容は、上記音声スイッチの場合と同様である。ただし、上記バーナ操作部が特殊操作スイッチによって燃焼制御されるガスバーナに対するものである場合、上記音声設定モード移行操作は、特殊操作スイッチとバーナ操作部の操作を同時に行う場合や特殊操作スイッチをオン操作しながらバーナ操作部の点火操作を行った場合に限ることとし、バーナ操作部の点火操作の後にこれらの特殊操作スイッチをオン操作して調理目的に応じてガスバーナの燃焼制御を行わせる各特殊操作スイッチの本来の目的操作と区別されるようにする。
【０００８】
（４）上記ガスコンロ（請求項２又は３）において、上記音声設定モード移行操作によって操作される上記バーナ操作部は、グリル用ガスバーナに対する点火、燃焼及び消火操作を行うグリルボタンとしてもよい。
これにより、グリル用ガスバーナは、ガスコンロ内部のグリル内に収容されているので、音声設定の際はグリルボタンを操作することでグリル用ガスバーナが一旦点火されても、その炎が外部に露出されない。従って、音声設定の際に一瞬でもガスバーナが点火されることに起因して、使用者が危険を感じることを防止でき、安全性も確保することができる。
【０００９】
（５）上記ガスコンロ（請求項１ないし４のいずれか）において、上記音声設定モード移行操作から所定時間経過すると、上記バーナ操作部を燃焼操作状態から消火操作状態に戻すように促す報知を行う構成としてもよい。
上記音声設定モード移行操作がなされた場合にはバーナ操作部が燃焼操作状態を保持したままでガスバーナが燃焼禁止されるため、音声設定終了後も上記バーナ操作部は燃焼操作状態のまま放置され得る。
ところが、上記音声設定モード移行操作から所定時間経過した場合に、上記報知を行うことで、使用者は上記バーナ操作部が燃焼操作状態にあることを認知することができ、これにより、上記バーナ操作部が使用者によって燃焼操作状態から消火操作状態に戻され易くすることができる。
【発明の効果】
【００１０】
以上のように、本発明のガスコンロによれば、音声ガイド機能を有する電装部への通電を行う電源スイッチを持たず、この電装部への通電がバーナ操作部での点火操作及び燃焼操作状態のときに行われるガスコンロであっても、安全性を確保しつつ音声設定を行うことができる。
【発明を実施するための最良の形態】
【００１１】
以下に、本発明の実施の形態について添付図面を参照しながら説明する。
図１には、本実施の形態による音声ガイド機能付のガスコンロ１の概略構成を示す。
（全体構成）
図１に示すように、実施の形態によるガスコンロ１は、コンロ本体１００には、左右の五徳５１，５２の下方にそれぞれガスバーナ２とガスバーナ３が配設され、中央のグリル４０の内部にグリル用ガスバーナ４が配設されている。コンロ本体１の正面部には、グリル４０の左側において、ガスバーナ２に対する点火、燃焼及び消火操作を手動で行う第１コンロボタン（バーナ操作部）２１、ガスバーナ２の火力を調節する第１火力調節レバー２２が設けられている。また、この左側の正面部には、揚げ物調理の火力制御を行うための揚げ物スイッチ１０、炊飯調理の火力制御を行うための炊飯スイッチ１１、湯沸しの火力制御を行うための湯沸しスイッチ１２及び音声を出力するためのスピーカ６１が設けられている。なお、揚げ物スイッチ１０、炊飯スイッチ１１及び湯沸しスイッチ１２は、調理選択のための特殊操作スイッチであって、左側のガスバーナ２に対する火力制御を行うものである。一方、グリル４０の右側においては、ガスバーナ３に対する点火、燃焼及び消火操作を手動で行う第２コンロボタン（バーナ操作部）３１、ガスバーナ３の火力を調節する第２火力調節レバー３２、グリル用ガスバーナ４に対する点火、燃焼及び消火操作を手動で行うグリルボタン（バーナ操作部）４１、グリル用ガスバーナ４の火力を調節する第３火力調節レバー４２が設けられている。また、この右側の正面部には、ガスコンロ１の使用中の状態や安全機能の作動状態等を音声で報知する音声ガイド機能を設定するための音声スイッチ１３が設けられている。なお、上記グリルボタン４１が音声設定モード移行操作のときに操作されるバーナ操作部となる。また、図示しないが、コンロ本体１００の正面部には、音声設定モードの際に音声設定状態（音声ガイドの有無や音量）を表示する表示部を独立に、又は調理タイマー表示と兼ねるようにして設けてもよい。
【００１２】
（ガスコンロのガス回路）
図２には、上記ガスコンロ１におけるガス回路の構成を示す。
図２に示すように、ガスバーナ２への第１ガス回路２ａ、ガスバーナ３への第２ガス回路３ａ並びにグリル用ガスバーナ４へのグリル用ガス回路４ａには、それぞれ、ガス回路２ａ，３ａ，４ａを開閉制御する第１、第２及び第３電磁安全弁２４，３４，４４と、各ボタン２１，３１，４１で手動式に開閉される第１、第２及び第３元ガス弁２５，３５，４５と、ガス流量制御するる第１、第２及び第３流量調整弁２６，３６，４６とが設けられている。なお、これらのガス回路２ａ，３ａ，４ａの上流側には、元弁５０が配設されている。また、各ガスバーナ２，３，４の近傍には、点火電極２８，３８，４８と、炎検知装置２７，３７，４７とが配置されている。
【００１３】
（制御用の電気回路）
図３には、上記ガスコンロ１における電気回路の構成を示す。
図３に示すように、コンロ本体１に組み込まれた電気回路には、使用中の状態や安全機能の作動状態等を音声で報知する音声ガイド機能等を有する電装部６０に対して電源ＰＷ（例えば、乾電池）からの電力が供給されるようになっている。
【００１４】
電装部６０と電源ＰＷとの間には、第１コンロボタン２１おけるマイクロスイッチ２１ａと、第２コンロボタン３１おけるマイクロスイッチ３１ａと、グリルボタン４１におけるマイクロスイッチ４１ａとが並列に介挿されており、ボタン２１，３１，４１が点火操作及び燃焼操作状態の際にマイクロスイッチ２１ａ，３１ａ，４１ａがオン状態となって、電装部６０への通電を行う一方、消火操作状態の際にマイクロスイッチ２１ａ，３１ａ，４１ａがオフ状態となって、電装部６０への通電を遮断するように構成されている。
【００１５】
電装部６０は、スピーカ６１、イグナイタ６２、制御装置６３、音声ＩＣ６４及び音声増幅回路６５を備えている。上記制御装置６３には、音声設定の動作制御を行う制御部６３ａが組み込まれている。また、制御装置６３には、揚げ物スイッチ１０、炊飯スイッチ１１、湯沸しスイッチ１２、音声スイッチ１３が電気的に接続されており、各スイッチ１０〜１３からの信号が制御装置６３に入力されるようになっている。制御装置６３の出力部には、音声ＩＣ６４が電気的に接続されて制御装置６３から信号が印加されるようになっている。また、音声ＩＣ６４は音声増幅回路６５を介してスピーカ６１に電気的に接続されており、音声ＩＣ６４の音声出力が音声増幅回路６５で増幅されてスピーカ６１に入力されることでスピーカ６１から所定の音声が出力されるようになっている。
【００１６】
上記ガス回路２ａ，３ａ，４ａにおける第１〜第３電磁安全弁２４，３４，４４及び第１〜第３流量調整弁２６，３６，４６は、制御装置６３で駆動されるようになっており、第１〜第３炎検知装置２７，３７，４７は制御装置６３で監視されるようになっている。
（バーナ操作部による点火、燃焼、消火の操作）
【００１７】
上記の第１コンロボタン２１、第２コンロボタン３１及びグリルボタン４１は、それぞれ、ハートカムを設けたバルブユニット（図示せず）に組み込まれた押しボタン式に構成されている。各ボタン２１，３１，４１を点火位置まで押し込む点火操作が行われると、ボタン２１，３１，４１が点火操作状態になる。ボタン２１，３１，４１が点火操作状態になると、元ガス弁２５，３５，４５が開弁されると共に電磁安全弁２４，３４，４４が押込まれて開弁状態にされ、同時にマイクロスイッチ２１ａ，３１ａ，４１ａがオン状態となって電装部６０への通電がなされる。すると、制御装置６３の指示の下、電磁安全弁２４，３４，４４に開弁保持電流が供給されて開弁保持されると共にイグナイタ６２が作動して点火電極２８，３８，４８のスパークによってガスバーナ２，３，４に点火される。
【００１８】
そして、ボタン２１，３１，４１の押し込み操作（点火操作）を解除すると、ボタン２１，３１，４１が中間位置で係止され、燃焼操作状態に保持される。
この燃焼操作状態では、元ガス弁２５，３５，４５は押し込み開弁された状態に保持され、電磁安全弁２４，３４，４４は押圧解除されるが、マイクロスイッチ２１ａ，３１ａ，４１ａがオン状態のままとなって電装部６０への通電状態が維持されて上記開弁保持電流で開弁保持される。
【００１９】
一方、ボタン２１，３１，４１を再度押し込む消火操作が行われると、ボタン２１，３１，４１は、中間位置での係止が解除されて消火操作状態となって元の突出状態となる。これにより、ガス回路２ａ，３ａ，４ａの元ガス弁２５，３５，４５が閉弁され、また、マイクロスイッチ２１ａ，３１ａ，４１ａがオフ状態となって電装部６０への通電が遮断され、電磁安全弁２４，３４，４４への開弁保持電流が供給停止されて閉弁される。
【００２０】
（音声設定の制御動作）
次に、上記音声ガイド機能付ガスコンロ１の音声設定の制御動作を説明する。
図４は、音声設定動作の制御を示すフローチャートである。
このガスコンロ１において、音声ガイド機能の音声設定を行うには、まず、使用者が音声スイッチ１３のオン操作とグリルボタン４１の点火操作とをともに行う音声設定モード移行操作がなされる。すなわち、グリルボタン４１がオンされることで、マイクロスイッチ４１ａがオンして電源ＰＷから電装部６０への通電が行われ、音声設定が可能となる。なお、「音声スイッチ１３のオン操作とグリルボタン４１の点火操作とをともに行う」とは、双方の操作を同時に行う同時押しの場合だけでなく、上記音声スイッチ１３のオン操作を先に行ってこのオン操作を継続しながら上記グリルボタン４１の点火操作を行う場合や、上記グリルボタン４１の点火操作を先に行い、マイクロスイッチ４１ａがオンしてから僅かな時間（例えば、０．３秒）以内に上記音声スイッチ１３のオン操作を行う場合も含む。
【００２１】
このとき、グリルボタン４１の点火操作によって第３元ガス弁４５、第３電磁安全弁４４を開弁し、制御装置６３の指示でイグナイタ６２を作動させてグリル用ガスバーナ４を点火させる（ステップＳ１）。そして、グリルボタン４１を点火操作してマイクロスイッチ４１ａがオンした際から、例えば、０．３秒以内に音声スイッチ１３が押されているか否かを判断する（ステップＳ２）。音声スイッチ１３が押されている場合には、音声設定モードに移行し、音声ＩＣ６４から、例えば、「消火します。」とか、「音声設定してください。」といった所定の音声ガイドあるいはブザー等の報知が出力される（ステップＳ３）。なお、このとき、図示しない表示部にて現在の音声設定状態、例えば、「０」〜「１０」までの数値によって音声の有無及び音量表示させてもよい（「０」表示は音声設定無しを意味する。）。
【００２２】
引き続いて、グリルボタン４１の押圧操作を解除すると、グリルボタン４１が燃焼操作状態に保持されたままで、第３電磁安全弁４４への開弁保持電流を供給しないで直ちに第３電磁安全弁４４を閉弁してグリル用ガスバーナ４が燃焼禁止される（ステップＳ４）。
また、制御装置６３によって、使用中の状態や安全機能の作動状態等を音声で報知する音声ガイドの有無及び音量が設定可能になる（ステップＳ５）。このとき、音声ガイドの有無の音声設定操作がなされると、「音声を入れます。」（音声有り設定時）とか、「音声を解除します。」（音声無し設定時）等といった所定の音声ガイドを出力するようにしてもよい。また、音声設定操作としては、音声スイッチ１３の複数回操作あるいは別に設けた“＋−（プラスマイナス）キー”等の音量ボタン（図示せず）の操作等によって音量設定及び音声の有無設定ができるようにしてもよい。
【００２３】
次いで、制御装置６３では、上記音声設定モード移行（ステップＳ３）から所定時間（例えば、１０秒程度）経過したか否かが判断され（ステップＳ６）、上記音声設定操作から所定時間経過した場合には、グリルボタン４１を燃焼操作状態から消火操作状態に解除するように促す報知を発する（ステップＳ７）。この報知としては、例えば、「グリルボタンが押されたままです。」とか、「グリルボタンを解除してください。」等といった所定の音声ガイドを出力する。なお、この報知は、上記音声ガイドに代えて、ブザーやランプ点灯等でもよい。これにより、使用者は、この音声ガイド等によって、グリルボタン４１を消火操作状態に解除させ易くすることができる。
なお、ステップＳ２において、グリルボタン４１の点火操作の際に音声スイッチ１３が押されてないと判断した場合には、第３電磁安全弁４４への開弁保持電流が供給されて開弁保持され、通常の燃焼動作を行う（ステップＳ８）。
【００２４】
以上のように、本実施の形態による音声ガイド機能付きのガスコンロ１によれば、音声スイッチ１３のオン操作とグリルボタン４１の点火操作とをともに行う音声設定モード移行操作がなされたときは、グリル用ガスバーナ４が一旦点火されるが、音声設定モードに移行し、グリルボタン４１を燃焼操作状態に保持したまま、すなわち、電装部６０への通電がなされた状態でグリル用ガスバーナ４は燃焼禁止される。従って、グリル用ガスバーナ４が燃焼しない状態で、電装部６０への通電が維持されるので、安全かつ確実に音声ガイド機能の音声設定を行うことができる。しかも、音声設定に際して、グリル用ガスバーナ４の空焚きも防止できる。
【００２５】
また、音声設定の際にグリルボタン４１を操作することでグリル用ガスバーナ４が一旦点火されるが、グリル用ガスバーナ４はガスコンロ１内部のグリル４０内に収容されているので、その炎が外部に露出されない。従って、音声設定の際に一瞬でもグリル用ガスバーナ４が点火されることに起因して、使用者が危険を感じることを防止でき、安全性も確保することができる。
【００２６】
また、上記音声設定モード移行操作は、音声スイッチ１３のオン操作とグリルボタン４１の点火操作とをともに行うことでなされるので、使用者は、比較的簡単な操作で音声設定モードに移行させて上記音声設定操作を行うことができる。
さらに、上記音声設定モード移行時から所定時間（例えば、１０秒程度）経過した場合に、グリルボタン４１を燃焼操作状態から消火操作状態に解除するように促す報知を発するので（図４のステップＳ７）、使用者はグリルボタン４１が燃焼操作状態にあることを認知することができ、これにより、グリルボタン４１が使用者によって燃焼操作状態から消火操作状態に戻され易くなる。
【００２７】
なお、本発明は、上記実施の形態のみに限定されず、例えば、以下の変更が可能である。
（１）上記実施形態では、上記音声設定モード移行操作によって操作されるバーナ操作部は、グリルボタン４１とするが、他のバーナ操作部（第１コンロボタン２１又は第２コンロボタン３１）でもよい。
【００２８】
（２）上記音声設定モード移行操作は、上記音声スイッチ１３のオン操作に代えて、揚げ物１０、炊飯１１、湯沸し１２等といった特殊操作スイッチのオン操作と上記グリルボタン４１（バーナ操作部）の点火操作とをともに行うこととしてもよい。これにより、別途に音声スイッチを設けることなく、調理選択のための特殊操作スイッチ１０〜１２のいずれかのオン操作と上記グリルボタン４１の点火操作とをともに操作するという比較的簡単な操作で上記音声設定操作を行うことができる。
【００２９】
なお、この場合、揚げ物、炊飯、湯沸し等といった各特殊操作スイッチ１０〜１２には、「音声」の文字を併記し、これらの特殊操作スイッチ１０〜１２が音声スイッチの機能をも持つことを使用者に明示するようにしてもよい。また、音声設定操作において、特殊操作スイッチ１０〜１２とグリルボタン（バーナ操作部）４１とをともに操作する内容は、上記音声スイッチ１３の場合と同様である。ただし、上記バーナ操作部がグリルボタン４１ではなく上記特殊操作スイッチ１０〜１２によって燃焼制御されるガスバーナに対するものである場合（上記実施形態ではガスバーナ２に対する第１コンロボタン２１が該当する。）、上記音声設定モード移行操作は、特殊操作スイッチ１０〜１２とバーナ操作部（第１コンロボタン２１）の操作を同時押しする場合や、特殊操作スイッチ１０〜１２をオン操作しながらバーナ操作部（第１コンロボタン２１）の点火操作を行う場合に限ることとし、バーナ操作部（第１コンロボタン２１）の点火操作の後にこれらの特殊スイッチ１０〜１２をオン操作して調理目的に応じてガスバーナ（ガスバーナ２）の燃焼制御を行わせる各特殊スイッチ１０〜１２の本来の目的操作と区別されるようにする。
【００３０】
（３）上記音声設定モード移行操作によって操作されるバーナ操作部２１，３１，４１は、いわゆる押しボタン式であるが、これに代えて、点火操作のときには消火位置から点火位置まで回され、燃焼操作のときには点火位置から中間位置まで復帰され（この状態で回動させると火力調節される。）、消火操作のときには元の消火位置に戻される、いわゆる回転式のバーナ操作部でもよい。
【図面の簡単な説明】
【００３１】
【図１】本発明の実施の形態による音声ガイド機能付きのガスコンロの概略構成を示す正面図である。
【図２】上記ガスコンロのガス回路を示す模式図である。
【図３】上記ガスコンロの電気回路を示す模式図である。
【図４】上記ガスコンロに内蔵する制御装置による音声設定動作の制御の流れを示すフローチャートである。
【符号の説明】
【００３２】
１  ガスコンロ
２，３  ガスバーナ
２ａ  第１ガス回路
３ａ  第２ガス回路
４  グリル用ガスバーナ
４ａ  グリル用ガス回路
１０  揚げ物スイッチ（特殊操作スイッチ）
１１  炊飯スイッチ（特殊操作スイッチ）
１２  湯沸しスイッチ（特殊操作スイッチ）
１３  音声スイッチ
２１  第１コンロボタン
２１ａ  マイクロスイッチ
３１  第２コンロボタン
３１ａ  マイクロスイッチ
４１  グリルボタン（バーナ操作部）
４１ａ  マイクロスイッチ
６０  電装部
６３  制御装置
ＰＷ  電源
【図１】
2007017092.tif 000003
【図２】
2007017092.tif 000004
【図３】
2007017092.tif 000005
【図４】
2007017092.tif 000006